(57)【要約】【課題】同時に食材の両面を焼くことができるバーベキューコンロを提供すること。【解決手段】間隔をあけて配置された第１外殻３及び第２外殻４と、食品を収容する収容ラック５とを備え、第１外殻３及び第２外殻４の内部に燃料を収納する第１収容空間及び第２収容空間を設け、第１外殻３及び第２外殻４の対向する面に第１側面開口部３２及び第２側面開口部を形成し、第１外殻３及び第２外殻４の上面に、第１上開口部及び第２上開口部を形成すると共に、第１上面網３５及び第２上面網を架設し、収容ラック５を、第１側面開口部３２と第２側面開口部との間に取外し可能に設置する。【選択図】図１
0003152198.tif 000002
【実用新案登録請求の範囲】
【請求項１】
間隔をあけて配置された第１外殻及び第２外殻と、食材を収容する収容ラックとを備え、前記第１外殻及び第２外殻の内部には、それぞれ燃料を収納するための第１収容空間及び第２収容空間が形成され、前記第１外殻及び第２外殻の互いに対向する側面にはそれぞれ第１側面開口部及び第２側面開口部が形成され、前記第１外殻及び第２外殻の上面には、それぞれ第１側面開口部及び第２側面開口部と連続して第１上開口部及び第２上開口部が形成されると共に、これら第１上開口部及び第２上開口部に第１上面網及び第２上面網が架設され、前記収容ラックは、前記第１側面開口部と第２側面開口部との間に取外し可能に設置され、該収容ラックの前記第１側面開口部及び第２側面開口部に臨む両側面は、起立してスタンド網となっていることを特徴としたバーベキューコンロ。
【請求項２】
前記第１上開口部及び第２上開口部がそれぞれ第１蓋板及び第２蓋板で遮蔽可能である請求項１に記載のバーベキューコンロ。
【請求項３】
前記第１上面網の一端縁を第１枢着部とし、該第１枢着部により前記第１上面網が前記前記第１外殻の上部に枢着され、前記第２上面網の一端縁を第２枢着部とし、該第２枢着部により前記第２上面網が前記第２外殻の上部に枢着されている請求項１に記載のバーベキューコンロ。
【請求項４】
前記第１外殻の外面に回動自在に設けた第１磁性部材を前記第１枢着部の端部に磁力により吸着し、前記第２外殻の外面に回動自在に設けた第２磁性部材を前記第２枢着部の端部に磁力により吸着してある請求項３に記載のバーベキューコンロ。
【請求項５】
前記収容ラックの一端部に、前記第１外殻及び第２外殻の外方へ延びるハンドルを設けてある請求項１に記載のバーベキューコンロ。
【請求項６】
前記収容ラックが、前記第１外殻と第２外殻との間に配置された支持フレーム上に設置される請求項１に記載のバーベキューコンロ。
【請求項７】
前記収容ラックの底部に前記支持フレームと係合可能な保持部材を設けた請求項６に記載のバーベキューコンロ。
【請求項８】
前記第１外殻の外面に、前記第１蓋板を開いて水平にした状態で支持する第１支持体を設けると共に、第２外殻の外面に、前記第２蓋板を開いて水平にした状態で支持する第２支持体を設けてある請求項２に記載のバーベキューコンロ。
【請求項９】
トレー上に設置され、前記第１外殻及び第２外殻の外面に前記トレーと着脱可能に嵌合する嵌合部をそれぞれ設けてある請求項１に記載のバーベキューコンロ。
【請求項１０】
前記第１外殻及び第２外殻の内面に、それぞれ前記第１上面網及び第２上面網を起立した状態で吸着可能な磁石を設けてある請求項１に記載のバーベキューコンロ。
【考案の詳細な説明】
【技術分野】
【０００１】
本考案は、バーベキューコンロに関する。
【背景技術】
【０００２】
バーベキューの楽しみを増すために、様々なバーベキューコンロが開発されている。例えば、バーベキューコンロの内部空間における空気の流通を良くし、木炭の燃焼効率を向上させたバーベキューコンロや、分解しやすく、携帯に便利な組み立て式バーベキューコンロ、さらには食材の受熱面積を増加させるバーベキューコンロなどがある。
バーベキューコンロは、通常、外殻、支持体及び焼網から成る。外殻は、内部に木炭を入れることができ、上面が開口しており、支持体の上に設置されて高い位置に支持される。そして、外殻の上面の開口部に焼網を設置して、その上に載せた食材を焼くようになっている。
【０００３】
しかし、このようなバーベキューコンロで食材を焼くと、燃焼する木炭が発生する熱は外殻上面の開口部から発散されるため、焼網上に載せた食材は一面のみが焼けることになり、他面を焼きたい場合は、手で繰り返し裏返さなければならない。
これには非常に手間がかかるばかりか、食材が崩れやすく、注意しないと食材を焦がしてしまう心配がある。
【考案の概要】
【考案が解決しようとする課題】
【０００４】
本考案が解決しようとする課題は、同時に食材の両面を焼くことができるバーベキューコンロを提供することにある。
【課題を解決するための手段】
【０００５】
上記課題を達成するために、本考案のバーベキューコンロは、間隔をあけて配置された第１外殻及び第２外殻と、食材を収容する収容ラックとを備え、前記第１外殻及び第２外殻の内部には、それぞれ燃料を収納するための第１収容空間及び第２収容空間が形成され、前記第１外殻及び第２外殻の互いに対向する側面にはそれぞれ第１側面開口部及び第２側面開口部が形成され、前記第１外殻及び第２外殻の上面には、それぞれ第１側面開口部及び第２側面開口部と連続して第１上開口部及び第２上開口部が形成されると共に、これら第１上開口部及び第２上開口部に第１上面網及び第２上面網が架設され、前記収容ラックは、前記第１側面開口部と第２側面開口部との間に取外し可能に設置され、該収容ラックの前記第１側面開口部及び第２側面開口部に臨む両側面は、起立してスタンド網となっている。
【０００６】
以下の構成を採用することがある。
前記第１上開口部及び第２上開口部がそれぞれ第１蓋板及び第２蓋板で遮蔽可能である構成。
前記第１上面網の一端縁を第１枢着部とし、該第１枢着部により前記第１上面網が前記第１外殻の上部に枢着され、前記第２上面網の一端縁を第２枢着部とし、該第２枢着部により前記第２上面網が前記前記第２外殻の上部に枢着されている構成。
この時、前記第１外殻の外面に回動自在に設けた第１磁性部材を前記第１枢着部の端部に磁力により吸着し、前記第２外殻の外面に回動自在に設けた第２磁性部材を前記第２枢着部の端部に磁力により吸着してある構成。
【０００７】
前記収容ラックの一端部に、前記第１外殻及び第２外殻よりも外方へ突出したハンドルを設けてある構成。
前記収容ラックが、前記第１外殻と第２外殻との間に配置された支持フレーム上に設置される構成。この時、前記収容ラックの底部に前記支持フレームと係合可能な保持部材を設けた構成。
前記第１外殻の外面に、前記第１蓋板を開いて水平にした状態で支持する第１支持体を設けると共に、第２外殻の外面に、前記第２蓋板を開いて水平にした状態で支持する第２支持体を設けてある構成。
トレー上に設置され、前記第１外殻及び第２外殻の外面に前記トレーと着脱可能に嵌合する嵌合部をそれぞれ設けてある構成。
前記第１外殻及び第２外殻の内面に、それぞれ前記第１上面網及び第２上面網を起立した状態で吸着可能な磁石を設けてある構成。
【考案の効果】
【０００８】
本考案によれば、第１上面網及び第２上面網に載せた食材を効果的に焼くことができると共に、収容ラックに収容した食材も両面から同時に焼くことができるので、食材を裏返す手間を省き、大量の食材を効率的に焼くことが可能である。
また、収容ラックに収容した食材が焼けたら、その食材のみを簡単に取り出すことができ、収容ラックを取り出して食材の熱の通り具合を確認しやすい。
【図面の簡単な説明】
【０００９】
【図１】本考案の実施例を示すバーベキューコンロの斜視図である。
【図２】本考案の実施例を示すバーベキューコンロの分解斜視図である。
【図３】本考案の実施例を示すバーベキューコンロの使用状態における斜視図である。
【図４】本考案の実施例を示すバーベキューコンロの蓋板開放状態における断面図である。
【図５】本考案の実施例を示すバーベキューコンロの蓋板開放状態における斜視図である。
【図６】本考案の実施例を示すバーベキューコンロの蓋板閉鎖状態における断面図である。
【図７】第２外殻の蓋板開放状態における斜視図である。
【図８】第２外殻の第２上面網開放状態における斜視図である。
【図９】収容ラック及び支持フレームの斜視図である。
【図１０】本考案の他の実施例に係る第１外殻及びトレーの要部斜視図である。
【図１１】本考案の他の実施例に係る第２外殻及びトレーの要部斜視図である。
【考案を実施するための形態】
【００１０】
以下、本考案の実施例を図面に基づいて詳細に説明する。
図１及び図２に示すように、本考案のバーベキューコンロ１は、間隔をあけて配置された第１外殻３及び第２外殻４と、食材を収容する収容ラック５とを備え、トレー２の上に設置されるようになっている。
【００１１】
第１外殻３は、内部に燃料（木炭等）を収容するための第１収容空間３１が形成され、第２外殻４と対向する側面に第１側面開口部３２が形成され、第１側面開口部３２を塞ぐように第１側面網３３が着脱可能に取り付けられる。
また、第１外殻３の上面には、第１側面開口部３２と連続する第１上開口部３４が形成され、第１上開口部３４に第１上面網３５が架設されている。
第１上面網３５の一端縁（本実施例では第１側面開口部３２側の端縁）は第１枢着部３７となっており、この第１枢着部３７により第１上面網３５が第１外殻３の上部に枢着されている。
さらに、第１外殻３の外面には、第１枢着部３７と同軸上に第１磁性部材３７１が回動自在に設けられ、第１磁性部材３７１と第１枢着部３７とが磁力により吸着されている。
【００１２】
第１枢着部３７の上方において、第１外殻３の内面には、第１上面網３５を起立した状態で吸着する磁石３７２が装着されている。
また、第１外殻３の第１上開口部３４は開閉自在の第１蓋板３６で遮蔽することができ、第１外殻３の外面には、第１蓋板３６を開いて水平にした状態で下方から支持する第１支持体３９が起倒自在に設けられる（図４及び図６参照）。
第１外殻３の第１側面開口部３２の外面下部には、断面Ｌ字形の支持フレーム５４が水平に配設されている。支持フレーム５４の一端部は第１外殻３よりも突出している。
さらに、第１外殻３の下部には、第１収容空間３１に空気を流入させるための開閉可能な通気口３８が形成される。
【００１３】
第２外殻４は、第１外殻３と同様の構造を有し、内部に燃料を収容するための第２収容空間４１が形成され、第１外殻３と対向する側面に第２側面開口部４２が形成され、第２側面開口部４２を塞ぐように第２側面網４３が着脱可能に取り付けられる。
図７及び図８に示すように、第２外殻４の上面には、第２側面開口部４２と連続する第２上開口部４４が形成され、第２上開口部４４に第２上面網４５が架設されている。
第２上面網４５の一端縁（第２側面開口部４２側の端縁）は第２枢着部４７となっており、第２枢着部４７により第２上面網４５が第２外殻４の上部に枢着されている。
さらに、第２外殻４の外面には、第２枢着部４７と同軸上に第２磁性部材４７１が回動自在に設けられ、第２磁性部材４７１と第２枢着部４７とが磁力により吸着されている。
【００１４】
第２枢着部４７の上方において、第２外殻４の内面には、第２上面網４５を起立した状態で吸着する磁石４７２が装着されている。
また、第２外殻４の第２上開口部４４は開閉自在の第２蓋板４６で遮蔽することができ、第２外殻４の外面には、第２蓋板４６を開いて水平にした状態で下方から支持する第２支持体４９が起倒自在に設けられる（図４）。
第２外殻４の第２側面開口部４２の外面下部には支持フレーム５４が、第１外殻３の支持フレーム５４と対向するように水平に配設されている。支持フレーム５４の一端部は第２外殻４よりも外方へ突出している（図１及び図２）。
さらに、第２外殻４の下部には、第２収容空間４１に空気を流入させるための開閉可能な通気口４８が形成される。
【００１５】
収容ラック５は、上面及び両端面が開口した断面Ｕ字状の網体より成り、第１外殻３の第１側面開口部３２と第２外殻４の第２側面開口部４２との間において、支持フレーム５４の上に取外し可能に設置される。
収容ラック５の第１側面開口部３２及び第２側面開口部４２に臨む両側面は、起立してスタンド網５１となっている。
また、収容ラック５の底部一端部に、第１外殻３及び第２外殻４の外方へ延びるハンドル５２を設けてある。
図９に示すように、支持フレーム５４は、収容ラック５を出し入れする際のレールとなっており、収容ラック５４の底部には、両側に延びて支持フレーム５４の下面に摺導自在に係合する保持部材５３を設ける。
【００１６】
バーベキューコンロ１は次のように使用する。
バーベキューを行なう時は、図３及び図４に示すように、第１外殻３の第１収容空間３１及び第２外殻４の第２収容空間４１に木炭等の燃料を入れ、第１上面網３５及び第２上面網４５の上に肉片、魚等の食材を載せる。また、第１蓋板３６及び第２蓋板４６を開いて第１上開口部３４及び第２上開口部４４を開放し、第１支持体３９及び第２支持体４９を起こして開いた第１蓋板３６及び第２蓋板４６を載せ、水平に支持しておく。
すると、燃料の発生する熱が第１上開口部３４と第２上開口部４４から発散し、第１上面網３５及び第２上面網４５の上に載せた食材を焼くことができる。そして、水平状態で支持されている第１蓋板３６及び第２蓋板４６を食品トレーとして利用し、焼きあがった食材を載せることができる。
【００１７】
また、ハンドル５２を握って収容ラック５を支持フレーム５４に沿って引き出し、パン等の食材を入れてから、再度、収容ラック５を第１側面開口部３２と第２側面開口部４２の間に差し込む。
すると、第１側面開口部３２及び第２側面開口部４２からも燃料の発する熱が発散されるので、収容ラック５に入れた食材の両面が同時に焼ける。
また、この時、収容ラック５は支持フレーム５４に案内されてスムーズに出し入れでき、保持部材５３が支持フレーム５４に係合しているため、収容ラック５の滑落が防止される。
【００１８】
図５及び図６に示すように、第１蓋板３６及び第２蓋板４６を回転させて第１外殻３の第１上開口部３４と第２外殻４の第２上開口部４４を遮蔽すると、第１側面開口部３２及び第２側面開口部４２からのみ熱が発散されて、その発散量が大きくなるので、収容ラック５に入れた食材を迅速に焼くことができる。
【００１９】
また、第１蓋板３６及び第２蓋板４６を開いた状態で、第１磁性部材３７１及び第２磁性部材４７１を工具で回動させて、第１磁性部材３７１に吸着された第１枢着部３７と第２磁性部材４７１に吸着された第２枢着部４７を回動させ、第１上面網３５及び第２上面網４５を起立させると、第１上開口部３４と第２上開口部４４を通して第１外殻３の第１収容空間３１及び第２外殻４の第２収容空間４１内に燃料を出し入れすることができる。
なお、図８には、第２上面網４５を起立させた状態の第２外殻４のみについて図示してあるが、第１外殻３も同様である。
【００２０】
図１０及び図１１に、本考案の他の実施例を示す。
トレー２の上面において、第１外殻３及び第２外殻４を貫く中心線の両端部にそれぞれ棒状の取付部２１が設けられ、第１外殻３及び第２外殻４の外面下部に取付部２１と着脱及び摺動可能に嵌合する嵌合部３９１，４９１が設けられる。
従って、嵌合部３９１，４９１を取付部２１に対して摺動させることにより、収容ラック５内の食材へ加えたい熱の強弱に応じて、第１外殻３と第２外殻４との距離を調節してから、嵌合部３９１，４９１を押圧ネジで固定する等により、第１外殻３及び第２外殻４をトレー２に固定することができる。
【符号の説明】
【００２１】
１  バーベキューコンロ
２  トレー
２１  取付部
３  第１外殻
３１  第１収容空間
３２  第１側面開口部
３３  第１側面網
３４  第１上開口部
３５  第１上面網
３６  第１蓋板
３７  第１枢着部
３７１  第１磁性部材
３７２  磁石
３８  通気口
３９  第１支持体
３９１  嵌合部
４  第２外殻
４１  第２収容空間
４２  第２側面開口部
４３  第１側面網
４４  第２上開口部
４５  第２上面網
４６  第２蓋板
４７  第２枢着部
４７１  第２磁性部材
４７２  磁石
４８  通気口
４９  第２支持体
４９１  嵌合部
５  収容ラック
５１  スタンド網
５２  ハンドル
５３  保持部材
５４  支持フレーム
【図１】
0003152198.tif 000003
【図２】
0003152198.tif 000004
【図３】
0003152198.tif 000005
【図４】
0003152198.tif 000006
【図５】
0003152198.tif 000007
【図６】
0003152198.tif 000008
【図７】
0003152198.tif 000009
【図８】
0003152198.tif 000010
【図９】
0003152198.tif 000011
【図１０】
0003152198.tif 000012
【図１１】
0003152198.tif 000013